(57)【要約】【課題】有線回線及び無線回線を介して信号を受信可能な信号処理装置において、有線回線の障害状況にかかわらず、適切に信号処理を実行させること。【解決手段】受信信号処理システムは、入力される信号に基づいて放送の開始及び終了を制御する放送制御装置と、外部と接続された有線回線の障害を監視し、当該有線回線を介して受信した所定の信号に基づいて放送制御装置に対して制御信号を出力する信号処理装置と、無線回線を介して受信した所定の無線信号に応じて接点端子を閉じて信号処理装置との間の信号経路である第１の回路を形成する無線受信装置と、を備え、信号処理装置は、有線回線の障害を検出するまでの間、第１の回路と接続せず、有線回線の障害を検出した場合、第１の回路との接続を行う。【選択図】図１
2014158111.tif 000002
【特許請求の範囲】
【請求項１】
外部と接続された有線回線を監視し、その障害を検出する障害検出部と、
無線回線からの無線信号に基づいて信号経路が形成される第１の回路との接続を制御する接続制御部とを備え、
前記接続制御部は、
前記障害検出部が前記有線回線の障害を検出するまでの間、前記第１の回路と接続せず、
前記障害検出部が前記有線回線の障害を検出した場合、前記第１の回路との接続を行う
信号処理装置。
【請求項２】
前記無線信号は、前記信号処理装置が前記外部からの指令開始信号に基づく指令処理からの復旧処理を指示する復旧指示信号を含み、
前記第１の回路は、前記無線回線を介して無線信号を受信する無線受信装置が前記復旧指示信号を受信した場合に形成される
請求項１に記載の信号処理装置。
【請求項３】
前記第１の回路と接続するための接点端子をさらに備え、
前記接続制御部は、
前記障害検出部が前記有線回線の障害を検出するまでの間、前記接点端子の開放を維持し、
前記障害検出部が前記有線回線の障害を検出した場合、前記接点端子を閉じる
請求項２に記載の信号処理装置。
【請求項４】
前記接続制御部は、
前記障害検出部が前記有線回線の障害を検出するまでの間、前記有線回線からの前記復旧指示信号に応じて信号経路を形成する第２の回路との接続を維持し、
前記障害検出部が前記有線回線の障害を検出した場合、前記第２の回路との接続から前記第１の回路との接続へ切り替える
請求項２に記載の信号処理装置。
【請求項５】
前記無線信号は、前記指令開始信号と、前記指令処理に基づく音声信号とをさらに含み、
前記接続制御部は、
前記無線受信装置が前記指令開始信号を受信した場合に形成される第３の回路との接続と、前記無線受信装置が受信した前記音声信号を前記信号処理装置へ入力する第４の回路との接続とを、前記第１の回路との接続と共に制御する
請求項２に記載の信号処理装置。
【請求項６】
前記有線回線及び前記無線回線からの信号は、緊急時の指令に関するものである
請求項１乃至５のいずれか１項に記載の信号処理装置。
【請求項７】
前記有線回線を介して受信する前記指令開始信号に基づく指令処理の種類と、前記無線回線を介して受信された前記復旧指示信号により指示される復旧処理の対象となる指令処理の種類とが異なる
請求項２乃至５のいずれか１項に記載の信号処理装置。
【請求項８】
前記第１の回路は、他の無線受信装置と共通の無線周波数の無線信号が受信可能な前記無線受信装置との間で信号経路が形成される
請求項２乃至５のいずれか１項に記載の信号処理装置。
【請求項９】
入力される信号に基づいて放送の開始及び終了を制御する放送制御装置と、
外部と接続された有線回線の障害を監視し、当該有線回線を介して受信した所定の信号に基づいて前記放送制御装置に対して制御信号を出力する信号処理装置と、
無線回線を介して受信した所定の無線信号に応じて接点端子を閉じて前記信号処理装置との間の信号経路である第１の回路を形成する無線受信装置と、を備え、
前記信号処理装置は、
前記有線回線の障害を検出するまでの間、前記第１の回路と接続せず、
前記有線回線の障害を検出した場合、前記第１の回路との接続を行う
受信信号処理システム。
【請求項１０】
有線回線と接続された信号処理装置における無線回線からの無線信号に基づいて信号経路が形成される第１の回路との接続を制御するための受信信号処理方法であって、
前記有線回線の障害を監視し、
前記有線回線の障害を検出するまでの間、前記第１の回路と接続せず、
前記有線回線の障害を検出した場合、前記第１の回路との接続を行う
受信信号処理方法。
【発明の詳細な説明】
【技術分野】
【０００１】
本発明は、信号処理装置、受信信号処理システム及び受信信号処理方法に関し、特に、有線回線及び無線回線を用いて受信した信号を処理する信号処理装置、受信信号処理システム及び受信信号処理方法に関する。
【背景技術】
【０００２】
昨今、１１９番通報等の緊急通報システムにおいて、出動指令を送出するための有線回線に障害が発生した場合に、自動的に無線回線に対して指令音声を送出することが可能になっている。例えば、特許文献１には、重要回線ダウン時の無線によるバックアップ方式に関する技術が開示されている。
【０００３】
特許文献１では、緊急指令通信装置などの本部機器と複数の端末機器とが有線回線（重要回線）で接続されている。例えば、通常、消防署等の本部機器で受け付けた緊急通報に応じて複数の拠点へ緊急車両の出動指令等を送出する場合、本部機器は、有線回線経由で指令を送出する。
【０００４】
また、特許文献１では、各端末機器は、本部機器が有する無線制御機から送信される無線信号を無線回線を介して受信できる。本部機器と複数の端末機器とはそれぞれ重要回線の障害を監視する。そして、重要回線の障害時には指令内容を無線回線を介して本部機器から端末機器へ通知する。特に、複数の重要回線のうち１回線がダウンした場合、ダウンした回線に接続されている回線指令部がその旨を検出する。そして、回線指令部が有線／無線接続装置内部のリレーを動作させ、接点から重要回線が無線制御機へ引き込まれて端末へ送信される。
【０００５】
このとき、本部機器は、障害が検出された重要回線が接続された端末機器に対して、登録された無線周波数により無線信号をバックアップ指令として送出する。例えば、本部機器が有する無線制御機は、一定周波数の無線信号として起動トーン信号を送出する。当該起動トーン信号を受信した無線受信機は、拡声器制御装置におけるアンプ起動信号をＯＮする。これにより、障害が検出された重要回線が接続された端末機器が属する拠点においても、無線指令を全館に放送することが可能となる。
【０００６】
また、特許文献２には、デジタル地域防災無線システムに関する技術が開示されている。特許文献２にかかるシステムは、複数の基地局無線装置が有線回線又は無線回線により互いに接続されている。各基地局無線装置は、それぞれの回線異常を監視し、有線回線が断線した場合には、回線の切り替えを行うものである。
【０００７】
特許文献３には、建物の防犯や施設の保全を監視するとともに、有線回線や無線回線によって遠隔の監視センタに異常を通報する警備端末装置に関する技術が開示されている。特許文献３にかかる警備端末装置は、有線回線及び無線回線を監視し、通常時には、有線回線に接続するが、有線回線が通信不能である場合に無線回線に接続する。
【０００８】
特許文献４には、無線呼出システム用自動回線バックアップシステム及びその無線呼出局と中央制御局に関する技術が開示されている。特許文献４にかかる技術は、中央制御局と無線呼出局間を接続する伝送路として有線回線を用いる無線呼出システムの前記有線回線障害時の回線バックアップ制御を行うものである。
【先行技術文献】
【特許文献】
【０００９】
【特許文献１】特開昭６１−１３１９２１号公報
【特許文献２】特開２００１−１８９９５９号公報
【特許文献３】特開平１０−１９０８９０号公報
【特許文献４】特開平１０−１６４６３６号公報
【発明の概要】
【発明が解決しようとする課題】
【００１０】
一般に、無線経由での指令に基づく処理を終了させる場合、本部機器は、起動トーン信号と同様に、同一の無線周波数に対して無線信号の復旧トーン信号を送出する。そして、復旧トーン信号を受信した無線受信機は、拡声器制御装置におけるアンプ復旧信号をＯＮする。これにより、指令に基づく処理を終了させることができる。
【００１１】
しかし、特許文献１の場合には、障害が発生していない有線回線に接続された拠点内の指令受信装置（端末機器）においても、無線指令により動作が影響を受けてしまうおそれがあるという問題点がある。
【００１２】
消防機関で使用可能な無線周波数の数は限られており、一般的には、拠点数に比べて無線周波数の種類は少ない。そのため、各拠点ごとに別々の無線周波数を割り当てることができない。よって、有線回線の障害時に所定の無線周波数による無線信号を送出した場合、障害が発生している有線回線に接続された拠点だけでなく、障害が発生していない有線回線に接続された拠点においても同一の無線信号が受信されてしまう。それゆえ、有線回線を経由した指令に基づき動作している最中に、無線信号による指令により動作が影響を受けるおそれがある。
【００１３】
例えば、Ａ拠点に接続された有線回線にのみ障害が発生している状態で、Ａ拠点管内で救急事案、Ｂ拠点管内で火災事案がほぼ同時に発生したと仮定する。この場合、本部機器は、Ａ拠点向けに救急指令、Ｂ拠点向けの火災指令をほぼ同時に送出することになる。この時、Ｂ拠点は有線回線が正常なため、本部機器は、有線回線を介して指令を送信する。一方、Ａ拠点は有線回線が障害のため、本部機器は、無線回線を介して無線バックアップ指令を送信する。
【００１４】
ここで、Ａ拠点の指令内容がＢ拠点の指令内容より短かった場合は、Ａ拠点の指令が先に終了する。例えば、救急指令の場合、出動車両が救急車のみであるため指令音声の長さは相対的に短い。一方、火災指令の場合、出動車両には、複数台の複数種類の消防車が含まれるため指令音声の長さは相対的に長い。そのため、救急指令と火災指令がほぼ同時に発せられた場合、指令音声の終了は救急指令の方が早く終了することが起こり得る。
【００１５】
この場合、本部機器は、無線バックアップ指令（例えば、救急指令）の復旧トーン信号を送出することとなる。しかし、この復旧トーン信号は、Ａ拠点とＢ拠点とで共通する無線周波数が用いられているため、Ｂ拠点の無線受令機においても受信されてしまう。そのため、Ｂ拠点の火災指令の指令音声の放送が終了する前に当該指令音声の放送が終了し、火災指令に対する各種処理を復旧させてしまうことが起こり得る。
【００１６】
このように、特許文献１では、無線の周波数が複数の端末機器で共通であれば、ダウンした有線回線に接続された端末機器に向けて送信された無線信号が、ダウンしていない有線回線に接続された端末機器においても受信されてしまい、動作に影響を与えてしまうおそれがある。尚、特許文献２乃至４にはこれらを解決する手段が開示されていない。
【００１７】
本発明は、上述した問題点を考慮してなされたものであり、有線回線及び無線回線を介して信号を受信可能な信号処理装置において、有線回線の障害状況にかかわらず、適切に信号処理を実行させるための信号処理装置、受信信号処理システム及び受信信号処理方法を提供することを目的とする。
【課題を解決するための手段】
【００１８】
本発明の第１の態様にかかる信号処理装置は、
外部と接続された有線回線を監視し、その障害を検出する障害検出部と、
無線回線からの無線信号に基づいて信号経路が形成される第１の回路との接続を制御する接続制御部とを備え、
前記接続制御部は、
前記障害検出部が前記有線回線の障害を検出するまでの間、前記第１の回路と接続せず、
前記障害検出部が前記有線回線の障害を検出した場合、前記第１の回路との接続を行う。
【００１９】
本発明の第２の態様にかかる受信信号処理システムは、
入力される信号に基づいて放送の開始及び終了を制御する放送制御装置と、
外部と接続された有線回線の障害を監視し、当該有線回線を介して受信した所定の信号に基づいて前記放送制御装置に対して制御信号を出力する信号処理装置と、
無線回線を介して受信した所定の無線信号に応じて接点端子を閉じて前記信号処理装置との間の信号経路である第１の回路を形成する無線受信装置と、を備え、
前記信号処理装置は、
前記有線回線の障害を検出するまでの間、前記第１の回路と接続せず、
前記有線回線の障害を検出した場合、前記第１の回路との接続を行う。
【００２０】
本発明の第３の態様にかかる受信信号処理方法は、
有線回線と接続された信号処理装置における無線回線からの無線信号に基づいて信号経路が形成される第１の回路との接続を制御するための受信信号処理方法であって、
前記有線回線の障害を監視し、
前記有線回線の障害を検出するまでの間、前記第１の回路と接続せず、
前記有線回線の障害を検出した場合、前記第１の回路との接続を行う。
【発明の効果】
【００２１】
本発明により、有線回線及び無線回線を介して信号を受信可能な信号処理装置において、有線回線の障害状況にかかわらず、適切に信号処理を実行させるための信号処理装置、受信信号処理システム及び受信信号処理方法を提供することができる。
【図面の簡単な説明】
【００２２】
【図１】本発明の実施の形態１にかかる受信信号処理システムの構成を示すブロック図である。
【図２】本発明の実施の形態１にかかる受信信号処理の流れを示すフローチャートである。
【図３】本発明の実施の形態２にかかる緊急指令システムの構成を示すブロック図である。
【図４】本発明の実施の形態２にかかる有線指令回線監視処理の流れを示すシーケンス図である。
【図５】本発明の実施の形態２にかかる指令受信処理システムの構成を示すブロック図である。
【図６】本発明の実施の形態２にかかる障害が発生した有線指令回線と接続された指令受信処理システムの動作の流れを示すシーケンス図である。
【図７】本発明の実施の形態２にかかる指令回線障害検出回路の動作を説明するための図である。
【図８】本発明の実施の形態２にかかる起動トーン検出回路の動作を説明するための図である。
【図９】本発明の実施の形態２にかかる復旧トーン検出回路の動作を説明するための図である。
【図１０】本発明の実施の形態２にかかる正常な有線指令回線と接続された指令受信処理システムの動作の流れを示すシーケンス図である。
【図１１】本発明の実施の形態２にかかる指令回線障害検出回路の動作を説明するための図である。
【図１２】本発明の実施の形態２にかかる起動トーン検出回路の動作を説明するための図である。
【図１３】本発明の実施の形態２にかかる復旧トーン検出回路の動作を説明するための図である。
【図１４】本発明の実施の形態３にかかる指令受信処理システムの構成を示すブロック図である。
【図１５】本発明の実施の形態４にかかる指令受信処理システムの構成を示すブロック図である。
【発明を実施するための形態】
【００２３】
以下では、本発明を適用した具体的な実施の形態について、図面を参照しながら詳細に説明する。各図面において、同一要素には同一の符号が付されており、説明の明確化のため、必要に応じて重複説明は省略する。
【００２４】
＜発明の実施の形態１＞
図１は、本発明の実施の形態１にかかる受信信号処理システム１００の構成を示すブロック図である。受信信号処理システム１００は、信号処理装置１１０と、無線受信装置１２０と、放送制御装置１３０とを備える。信号処理装置１１０は、外部と接続された有線回線１４０の障害を監視し、有線回線１４０を介して受信した所定の信号に基づいて放送制御装置１３０に対して制御信号を出力する。無線受信装置１２０は、無線回線１５０を介して受信した所定の無線信号に応じて接点端子を閉じて信号処理装置１１０との間の信号経路である第１の回路１６０を形成する。放送制御装置１３０は、信号処理装置１１０から入力される信号に基づいて放送の開始及び終了を制御する。
【００２５】
ここで、信号処理装置１１０は、障害検出部１１１と、接続制御部１１２とを備える。障害検出部１１１は、外部と接続された有線回線１４０を監視し、その障害を検出する。接続制御部１１２は、第１の回路１６０との接続を制御する。特に、接続制御部１１２は、障害検出部１１１が有線回線１４０の障害を検出するまでの間、第１の回路１６０と接続せず、障害検出部１１１が有線回線１４０の障害を検出した場合、第１の回路１６０との接続を行う。
【００２６】
図２は、本発明の実施の形態１にかかる受信信号処理の流れを示すフローチャートである。まず、障害検出部１１１は、有線回線１４０の障害を監視する（Ｓ１１）。次に、障害検出部１１１は、有線回線１４０に障害が発生したか否かを判定する（Ｓ１２）。例えば、障害検出部１１１は、所定の間隔で有線回線１４０の障害の有無を判定する。ステップＳ１２において、有線回線１４０に障害が発生していないと判定した場合、ステップＳ１１へ戻る。一方、ステップＳ１２において、有線回線１４０に障害が発生したと判定した場合、接続制御部１１２は、第１の回路１６０との接続を行う（Ｓ１３）。すなわち、障害検出部１１１は、有線回線１４０の障害を検出した場合、第１の回路１６０との接続を行う。そのため、接続制御部１１２は、障害検出部１１１が有線回線１４０の障害を検出するまでの間、第１の回路１６０との接続を行わない。
【００２７】
このように、信号処理装置１１０は、有線回線１４０に障害が発生していなければ、有線回線１４０を介して外部からの信号を受信し、所定の処理を行うことができる。一方、有線回線１４０に障害が発生した場合には、信号処理装置１１０は、無線受信装置１２０が無線回線１５０を介して受信した無線信号に応じて所定の処理を行うことができる。つまり、信号処理装置１１０は、有線回線１４０及び無線回線１５０を介して信号を受信可能である。そして、外部から通常は有線回線１４０を介して所定の指令を示す信号を受信する場合であっても、有線回線１４０の障害時には、無線回線１５０経由で無線信号による所定の指令を受け付けることができる。
【００２８】
さらに、有線回線１４０に障害が発生していない場合において、他の無線受信装置向けの無線信号による動作の影響を回避することがｄけいる。例えば、無線受信装置１２０が他の無線受信装置と共通の無線周波数により無線信号を受信可能であり、当該他の無線受信装置に向けた他の指令の信号が発信された場合には、無線受信装置１２０は当該他の指令を受信できてしまう。しかし、第１の回路１６０が接続されていないため、信号処理装置１１０は、無線受信装置１２０により受信された他の指令による影響を受けることなく動作することができる。このように、本発明の実施の形態１により、有線回線及び無線回線を介して信号を受信可能な信号処理装置において、有線回線の障害状況にかかわらず、適切に信号処理を実行させることができる。
【００２９】
＜発明の実施の形態２＞
図３は、本発明の実施の形態２にかかる緊急指令システム２００の構成を示すブロック図である。緊急指令システム２００は、本部２０に設置された指令装置２１及び無線装置２２と、本部２０とは離れた各拠点、署所に設置された指令受信処理システム３０及び４０とを備える。署所とは、例えば、消防署、警察署、分団、分署等の本部２０以外の拠点をいう。つまり、署所は、本部２０からの指令先であり、緊急指令の受信側である。
【００３０】
指令装置２１は、火災や救急等の情報を取得した場合に、必要に応じて指令受信処理システム３０や４０へ緊急時の指令を通知するものである。緊急時の指令としては例えば、緊急車両の出動を伴う救急、火災もしくは救助、または、緊急車両の出動を伴わない通知等が挙げられる。指令装置２１は、交換機２１１を備える。交換機２１１は、指令受信処理システム３０の指令受信装置３２と有線指令回線５１で接続されている。また、交換機２１１は、指令受信処理システム４０の指令受信装置４２と有線指令回線５２で接続されている。ここで、有線指令回線５１及び５２は、図１の有線回線１４０の一例である。有線指令回線５１及び５２は、専用線であるか、ＶｏＩＰ（Ｖｏｉｃｅ  ｏｖｅｒ  Ｉｎｔｅｒｎｅｔ  Ｐｒｏｔｏｃｏｌ）等を利用可能なインターネット回線等である。尚、図３では、有線指令回線５２に障害５５が発生しているものとする。有線指令回線５２がインターネット回線である場合には、障害５５は、物理的な信号線の切断等に限らず、例えばインターネット回線、中継サーバ、指令受信処理システム４０側のルータ等を原因とした通信障害を含むものとする。
【００３１】
また、指令装置２１は無線機２２１と接続されている。指令装置２１は、原則としては有線指令回線５１及び５２を介して指令受信処理システム３０及び４０へ緊急指令を通知するが、有線指令回線５１又は５２に障害が検出された場合には、無線経由で緊急指令を通知する。そのため、指令装置２１は、無線機２２１へ無線用の緊急指令を通知する。
【００３２】
無線装置２２は、無線機２２１と、無線基地局２２２とを備える。また、無線機２２１は、交換機２１１からの通知に応じて無線基地局２２２へ無線信号の発信を指示する。無線基地局２２２は、所定の周波数により無線信号を発信する。つまり、無線基地局２２２は、指令受信処理システム３０の無線受令機３３及び指令受信処理システム４０の無線受令機４３へ無線信号を送信可能である。ここで、無線受令機３３及び４３は、同一の周波数による無線信号を受信可能であるものとする。
【００３３】
ここで、指令装置２１から指令受信処理システム３０及び４０へ有線回線又は無線回線を介して通知する指令信号としては、指令処理を開始させるための指令開始信号、指令処理に基づく音声信号、指令処理からの復旧処理を指示する復旧指示信号等が含まれる。以下では、指令開始信号を起動トーン信号、音声信号を指令音声信号、復旧指示信号を復旧トーン信号と呼ぶ。また、ここでは、有線回線及び無線回線からの信号は、上述した通り、緊急時の指令に関するものとする。
【００３４】
指令受信処理システム３０は、放送制御装置３１と、指令受信装置３２と、無線受令機３３とを備える。また、指令受信処理システム４０は、放送制御装置４１と、指令受信装置４２と、無線受令機４３とを備える。尚、指令受信処理システム３０及び４０は、上述した実施の形態１の受信信号処理システム１００の一実施例であり、その構成は共通するため、以下では代表して、指令受信処理システム３０の構成を説明する。
【００３５】
図５は、本発明の実施の形態２にかかる指令受信処理システム３０の構成を示すブロック図である。指令受信装置３２は、アンプ起動制御回路３２１と、指令音声制御回路３２２と、復旧制御回路３２３と、指令回線障害検出回路３２４と、起動端子３２５と、指令音声端子３２６と、外部確受端子３２７と、指令回線障害通知接点端子３２８とを備える。尚、指令回線障害通知接点端子３２８は、初期状態において開放されている。また、無線受令機３３は、起動トーン信号検出回路３３１と、指令音声伝送回路３３２と、復旧トーン信号検出回路３３３と、起動通知接点端子３３４と、指令音声端子３３５と、復旧通知接点端子３３６とを備える。
【００３６】
まず、無線受令機３３の内部構成について説明する。起動トーン信号検出回路３３１は、無線指令回線５３を介して受信される起動トーン信号を検出した場合に、起動通知接点端子３３４を閉じる。ここで、起動端子３２５と起動通知接点端子３３４とは各端子が接続されている。起動通知接点端子３３４が閉じられることにより、アンプ起動制御回路３２１におけるアンプ起動信号３４１をＯＮにするための回路が形成される。
【００３７】
指令音声伝送回路３３２は、無線指令回線５３を介して受信される指令音声信号を指令音声端子３３５及び指令音声端子３２６を介して指令音声制御回路３２２へ出力する。ここで、指令音声端子３３５と指令音声端子３２６とは各端子が接続されている。
【００３８】
復旧トーン信号検出回路３３３は、無線指令回線５３を介して受信される復旧トーン信号を検出した場合に、復旧通知接点端子３３６を閉じる。ここで、外部確受端子３２７の一端と復旧通知接点端子３３６の一端とが接続され、復旧通知接点端子３３６の他端と指令回線障害通知接点端子３２８の一端とが接続され、指令回線障害通知接点端子３２８の他端と外部確受端子３２７の他端とが接続されている。指令回線障害通知接点端子３２８及び復旧通知接点端子３３６が閉じられることにより、復旧制御回路３２３におけるアンプ停止信号３４３をＯＮにするための回路が形成される。ここで、当該形成される回路は、上述した第１の回路１６０に相当する回路ということができる。そして、指令回線障害通知接点端子３２８は、第１の回路と接続するための接点端子ということができる。つまり、復旧トーン信号検出回路３３３が復旧トーン信号を検出したとしても、指令回線障害通知接点端子３２８が閉じられていない限り、アンプ停止信号３４３がＯＮになることはない。このことから、第１の回路は、無線回線５３を介して無線信号を受信する無線受令機３３が復旧トーン信号を受信した場合に形成される回路といえる。
【００３９】
次に、指令受信装置３２の内部構成について説明する。アンプ起動制御回路３２１は、原則として、有線指令回線５１を介して入力される起動トーン信号を検出した場合に、放送制御装置３１に対してアンプ起動信号３４１をＯＮとして出力する。また、アンプ起動制御回路３２１は、指令回線障害検出回路３２４から有線指令回線５１の障害検出通知を受け付けた場合には、無線受令機３３と接続するための起動端子３２５を閉じる。この場合、アンプ起動制御回路３２１は、有線指令回線５１経由の起動トーン信号を検出したとしてもアンプ起動信号３４１をＯＮとはしない。つまり、アンプ起動制御回路３２１は、無線受令機３３が無線指令回線５３を介して起動トーン信号を受信した場合に、アンプ起動信号３４１をＯＮとして出力する。
【００４０】
指令音声制御回路３２２は、原則として有線指令回線５１を介して入力される指令音声信号を指令音声信号３４２として放送制御装置３１へ出力する。また、指令音声制御回路３２２は、指令回線障害検出回路３２４から有線指令回線５１の障害検出通知を受け付けた場合には、無線受令機３３と接続するための指令音声端子３２６と接続する。この場合、指令音声制御回路３２２は、有線指令回線５１経由の指令音声信号を放送制御装置３１へ出力しない。つまり、指令音声制御回路３２２は、無線受令機３３が無線指令回線５３を介して指令音声信号を受信した場合に、指令音声信号３４２を出力する。
【００４１】
復旧制御回路３２３は、原則として有線指令回線５１を介して入力される復旧トーン信号を検出した場合に、放送制御装置３１に対してアンプ停止信号３４３をＯＮとして出力する。また、復旧制御回路３２３は、外部確受端子３２７と接続されている。
【００４２】
指令回線障害検出回路３２４は、有線指令回線５１を所定の間隔で監視し、有線指令回線５１の障害を検出する。指令回線障害検出回路３２４は、有線指令回線５１の障害を検出した場合、アンプ起動制御回路３２１及び指令音声制御回路３２２へ障害検出通知を出力する。また、指令回線障害検出回路３２４は、有線指令回線５１の障害を検出した場合、指令回線障害通知接点端子３２８を閉じる。逆にいうと、指令回線障害検出回路３２４は、有線回線５１の障害を検出するまでの間、指令回線障害通知接点端子３２８の開放を維持する。尚、指令回線障害検出回路３２４は、上述した障害検出部１１１と接続制御部１１２の機能を有するものである。
【００４３】
放送制御装置３１は、上述した放送制御装置１３０の一実施例である。放送制御装置３１は、指令受信処理システム３０が設置されている拠点、つまり署所内における指令の放送を制御する放送設備である。放送制御装置３１は、指令受信装置３２からのアンプ起動信号３４１に応じて起動し、指令音声制御回路３２２からの指令音声信号３４２に応じて音声を放送し、復旧制御回路３２３からのアンプ停止信号３４３に応じて放送を停止する。
【００４４】
ここで、本発明の実施の形態２にかかる有線指令回線の監視処理について説明する。図４は、本発明の実施の形態２にかかる有線指令回線監視処理の流れを示すシーケンス図である。尚、図４では、例として交換機２１１と無線受令機４３との間の監視処理について説明する。
【００４５】
まず、交換機２１１は、無線受令機４３に対して有線指令回線５２を介してＰＢ信号を送出する（Ｓ２１）。そして、無線受令機４３は、交換機２１１に対して有線指令回線５２を介して応答信号を送出する（Ｓ２２）。その後、交換機２１１は、ステップＳ２１から一定時間である周期Ｔａの経過後に、無線受令機４３に対して有線指令回線５２を介してＰＢ信号を送出する（Ｓ２３）。そして、無線受令機４３は、交換機２１１に対して有線指令回線５２を介して応答信号を送出する（Ｓ２４）。
【００４６】
その後、有線指令回線５２に障害５５が発生したものとする（Ｓ２５）。そして、交換機２１１は、ステップＳ２３から周期Ｔａ経過後に、無線受令機４３に対して有線指令回線５２を介してＰＢ信号を送出する（Ｓ２６）。但し、障害５５のために、無線受令機４３は、当該ＰＢ信号を受信できず、それ故、応答信号も送出しない。
【００４７】
無線受令機４３は、直前にＰＢ信号を受信してから時間Ｔｂ経過するまでに次のＰＢ信号を受信できないために、有線指令回線５２に何らかの障害５５が発生したことを検出する（Ｓ２７）。ここで、時間Ｔｂは周期Ｔａより長いものとする。
【００４８】
また、交換機２１１は、ステップＳ２６から周期Ｔａ経過後に、無線受令機４３に対して有線指令回線５２を介してＰＢ信号を送出する（Ｓ２８）。ここでも、障害５５のために、無線受令機４３は、当該ＰＢ信号を受信できず、それ故、応答信号も送出しない。その後、交換機２１１は、ステップＳ２６から時間Ｔｃ経過するまでに無線受令機４３から応答信号を受信できないために、有線指令回線５２に何らかの障害５５が発生したことを検出する（Ｓ２９）。ここで、時間Ｔｃは周期Ｔａより長いものとする。指令受信処理システム４０に対して緊急車両出動のための無線バックアップ指令により通知すべく、無線装置２２に対して指示を行い、無線基地局２２２から無線指令回線５３及び５４を介して無線信号が送出される。
【００４９】
続いて、障害５５が発生した有線指令回線５２と接続された指令受信処理システム４０における動作について図６、図７、図８及び図９を用いて説明する。尚、図７〜図９は、指令受信処理システム４０の詳細な構成について符号を付して記載している。具体的には、指令受信装置４２は、アンプ起動制御回路４２１、指令音声制御回路４２２、復旧制御回路４２３、指令回線障害検出回路４２４、起動端子４２５、指令音声端子４２６、外部確受端子４２７、指令回線障害通知接点端子４２８を備える。これらは、指令受信装置３２の各構成要素と同等の機能を有する。また、無線受令機４３は、起動トーン信号検出回路４３１、指令音声伝送回路４３２、復旧トーン信号検出回路４３３、起動通知接点端子４３４、指令音声端子４３５、復旧通知接点端子４３６を備える。これらは、無線受令機３３の各構成要素と同等の機能を有する。
【００５０】
図６は、本発明の実施の形態２にかかる障害が発生した有線指令回線と接続された指令受信処理システムの動作の流れを示すシーケンス図である。まず、指令回線障害検出回路４２４は、有線指令回線５２の障害５５を検出する（Ｓ３０１）。そして、指令回線障害検出回路４２４は、指令回線障害通知接点端子４２８を閉じる（Ｓ３０２、図７の接続Ｃ１）。ここで、図７は、本発明の実施の形態２にかかる指令回線障害検出回路の動作を説明するための図である。併せて、指令回線障害検出回路４２４は、アンプ起動制御回路４２１及び指令音声制御回路４２２へ障害検出通知を出力する。
【００５１】
続いて、起動トーン信号検出回路４３１は、無線指令回線５４を介して受信された起動トーン信号を検出する（Ｓ３０３）。そして、起動トーン信号検出回路４３１は、起動通知接点端子４３４を閉じる（Ｓ３０４、図８の接続Ｃ２）。ここで、図８は、本発明の実施の形態２にかかる起動トーン検出回路の動作を説明するための図である。これにより、起動端子４２５と起動通知接点端子４３４とを用いた回路が形成され、アンプ起動信号４４１がＯＮとなる。よって、アンプ起動制御回路４２１から放送制御装置４１へアンプ起動信号４４１が出力される（Ｓ３０５）。その結果、放送制御装置４１は、アンプを起動する（Ｓ３０６）。
【００５２】
その後、指令音声伝送回路４３２は、無線指令回線５４を介して受信された指令音声信号を検出し（Ｓ３０７）、指令音声制御回路４２２へ指令音声信号を送出する（Ｓ３０８）。そして、指令音声制御回路４２２は、指令音声信号４４２を放送制御装置４１へ出力する。その結果、放送制御装置４１は、無線バックアップ指令に基づく指令音声を放送する（Ｓ３０９）。
【００５３】
続いて、無線指令音声が終了すると無線受令機４３は、復旧トーン信号を受信する。復旧トーン信号検出回路４３３は、無線指令回線５４を介して受信された復旧トーン信号を検出する（Ｓ３１０）。そして、復旧トーン信号検出回路４３３は、復旧通知接点端子４３６を閉じる（Ｓ３１１、図９の接続Ｃ３）。ここで、図９は、本発明の実施の形態２にかかる復旧トーン検出回路の動作を説明するための図である。このとき、指令受信装置４２の指令回線障害通知接点端子４２８及び無線受令機４３の指令音声端子４２６が指令受信装置４２の外部確受端子４２７にループ接続されており、接続回路が全て閉じることとなる。つまり、第１の回路が形成され、アンプ停止信号４４３がＯＮとなる。よって、復旧制御回路４２３から放送制御装置４１へアンプ停止信号４４３が出力される（Ｓ３１２）。その結果、放送制御装置４１は、アンプを停止する（Ｓ３１３）。併せて、復旧制御回路４２３は、回線を開放等する（Ｓ３１４）。つまり、復旧制御回路４２３は、放送制御装置４１に対して強制復旧制御により復旧処理を行い無線バックアップ指令を復旧し、完了する。
【００５４】
続いて、障害が発生していない有線指令回線５１と接続された指令受信処理システム３０における動作について図１０、図１１、図１２及び図１３を用いて説明する。ここでは、交換機２１１は、指令受信処理システム４０とは異なる指令、特に、より長い音声指令を指令受信処理システム３０に対して有線指令回線５１を介して送信するものとする。つまり、指令受信処理システム３０は、無線指令回線５３と有線指令回線５１とで異なる指令が通知されるものとする。例えば、交換機２１１は、指令受信処理システム４０に対しては、音声指令が相対的に短い救急指令を無線基地局２２２により無線バックアップ指令として送出しており、指令受信処理システム３０に対しては、音声指令が相対的に長い火災指令を有線指令回線５１を介して送出している場合を示す。つまり、指令受信処理システム３０は、有線回線５１を介して受信する指令開始信号に基づく指令処理の種類（例えば、火災指令）と、無線回線５３を介して受信された復旧指示信号により指示される復旧処理の対象となる指令処理の種類（例えば、救急指令）とが異なるものとする。
【００５５】
図１０は、本発明の実施の形態２にかかる正常な有線指令回線と接続された指令受信処理システムの動作の流れを示すシーケンス図である。まず、指令回線障害検出回路３２４は、有線指令回線５１を所定の間隔で監視するが、障害が検出されないため、指令回線障害通知接点端子３２８を閉じない（図１１の未接続Ｃ４）。すなわち、指令回線障害検出回路３２４は、指令回線障害通知接点端子３２８の開放を維持する。そのため、第１の回路は開いた状態となる。ここで、図１１は、本発明の実施の形態２にかかる指令回線障害検出回路の動作を説明するための図である。
【００５６】
次に、起動トーン信号検出回路３３１は、無線指令回線５３を介して受信された起動トーン信号を検出する（Ｓ４０１）。そして、起動トーン信号検出回路３３１は、起動通知接点端子３３４を閉じる（Ｓ４０２、図１２の接続Ｃ５）。ここで、図１２は、本発明の実施の形態２にかかる起動トーン検出回路の動作を説明するための図である。
【００５７】
このとき、指令受信装置３２の指令回線障害検出回路３２４が有線指令回線５１の障害を検出していないので、無線受令機３３からの起動トーン信号によるアンプ起動制御は行われない（Ｓ４０３）。そこで、アンプ起動制御回路３２１は、起動トーン信号を検出する（Ｓ４０４）。これにより、アンプ起動信号３４１がＯＮとなる。よって、アンプ起動制御回路３２１から放送制御装置３１へアンプ起動信号３４１が出力される（Ｓ４０５）。その結果、放送制御装置３１は、アンプを起動する（Ｓ４０６）。
【００５８】
その後、指令音声伝送回路３３２は、無線指令回線５４を介して受信された指令音声信号を検出し（Ｓ４０７）、指令音声制御回路３２２へ指令音声信号を送出する（Ｓ４０８）。しかし、このときも当該指令音声信号は放送制御装置３１へ出力されない。一方、指令音声制御回路３２２は、有線指令回線５１を介して受信された指令音声信号を検出し（Ｓ４０９）、指令音声信号３４２を放送制御装置３１へ出力する。その結果、放送制御装置３１は、有線指令回線５１を介して受信された指令音声を放送する（Ｓ４１１）。
【００５９】
ここで、ステップＳ４１１により放送制御装置３１が指令音声を放送中に、無線基地局２２２が指令受信処理システム４０向けの復旧トーン信号を送出する場合がある。このとき、復旧トーン信号検出回路３３３は無線指令回線５３を介して受信した復旧トーン信号を検出する（Ｓ４１２）。そして、復旧トーン信号検出回路３３３は、復旧通知接点端子３３６を閉じる（Ｓ４１３、図１３の接続Ｃ６）。ここで、図１３は、本発明の実施の形態２にかかる復旧トーン検出回路の動作を説明するための図である。
【００６０】
このとき、上述の通り、指令受信装置３２の指令回線障害通知接点端子３２８な及び無線受令機３３の復旧通知接点端子３３６が指令受信装置３２の外部確受端子３２７にループ接続されている。しかし、上述の通り、指令回線障害通知接点端子３２８は開放が維持されており、回路が開いている。そのため、無線受令機３３が復旧トーン信号を受信しても、アンプ停止信号３４３はＯＮにならず、強制復旧制御が有効にならない。よって、放送制御装置３１に対して無線バックアップ指令による復旧処理が行われない。
【００６１】
放送制御装置３１における指令音声の放送終了後、交換機２１１は、指令受信処理システム３０向けの復旧トーン信号を有線指令回線５１を介して送出する。そのため、復旧制御回路３２３は、有線指令回線５１を介して受信した復旧トーン信号を検出し（Ｓ４１４）、アンプ停止信号３４３がＯＮとなる。よって、復旧制御回路３２３から放送制御装置３１へアンプ停止信号３４３が出力される（Ｓ４１５）。その結果、放送制御装置３１は、アンプを停止する（Ｓ４１６）。併せて、復旧制御回路３２３は、回線を開放等する（Ｓ４１７）。つまり、復旧制御回路３２３は、復旧トーン信号により放送制御装置３１に対して強制復旧制御により復旧処理を行い、有線指令回線からの復旧により指令を完了する。
【００６２】
本発明の実施の形態２により、実施の形態１の効果に加え、既存の指令受信装置に対して、指令回線障害通知接点端子３２８を流用することが可能なため、容易に実現ができるという効果を奏する。指令受信装置３２の内部も指令回線障害検出回路３２４を修正することだけで実現できる。
【００６３】
＜発明の実施の形態３＞
本発明の実施の形態３は、上述した本発明の実施の形態２の変形例である。上述した本発明の実施の形態２にかかる構成においては、例えば、指令受信装置３２の外部確受端子３２７が強制復旧制御を行うことを指令回線障害通知接点端子３２８を用いることで、有線指令回線の障害が発生していない署所に対して無線バックアップ指令による強制復旧処理が行われないようにしている。一方、本発明の実施の形態３では、接続制御部が、障害検出部が有線回線の障害を検出するまでの間、有線回線からの復旧指示信号に応じて信号経路を形成する第２の回路との接続を維持し、障害検出部が有線回線の障害を検出した場合、第２の回路との接続から第１の回路との接続へ切り替えるものである。
【００６４】
図１４は、本発明の実施の形態３にかかる指令受信処理システム３０ａの構成を示すブロック図である。図５との違いとしては、指令受信装置３２ａは、指令回線障害検出回路３２４ａは、有線指令回線５１の障害を検出した場合、障害検出通知を復旧制御回路３２３ａに対してもさらに通知する点である。そのため、図５に比べて指令回線障害通知接点端子３２８が不要となり、外部確受端子３２７及び復旧通知接点端子３３６との接続も不要となる。つまり、指令受信装置３２ａの指令回線障害検出回路３２４ａにて有線指令回線５１による復旧トーン信号または無線バックアップによる復旧トーン信号のどちらかを有効にする機能を備えることで課題を解消することが可能である。そして、指令回線障害検出回路３２４ａによる障害の検出による処理が一元化される。
【００６５】
＜発明の実施の形態４＞
本発明の実施の形態４は、上述した本発明の実施の形態２の変形例である。すなわち、本発明の実施の形態４では、接続制御部は、無線受信装置が指令開始信号を受信した場合に形成される第３の回路との接続と、無線受信装置が受信した音声信号を信号処理装置へ入力する第４の回路との接続とを、第１の回路との接続と共に制御するものである。
【００６６】
図１５は、本発明の実施の形態４にかかる指令受信処理システム３０ｂの構成を示すブロック図である。図５との違いとしては、指令受信装置３２ｂは、指令回線障害通知接点端子３２８に代えて、指令回線障害通知接点端子３２８ａ〜３２８ｂ及び回路３２８ｄを有する。また、指令回線障害検出回路３２４ｂは、アンプ起動制御回路３２１ｂ、指令音声制御回路３２２ｂ及び復旧制御回路３２３ｂに対して有線指令回線５１の障害検出通知を出力しない。以下に各接続端子の接続関係を説明する。
【００６７】
すなわち、起動端子３２５の一端と起動通知接点端子３３４の一端とが接続され、起動通知接点端子３３４の他端と指令回線障害通知接点端子３２８ａの一端とが接続され、指令回線障害通知接点端子３２８ａの他端と起動端子３２５の他端とが接続されている。起動通知接点端子３３４及び指令回線障害通知接点端子３２８ａが閉じられることにより、アンプ起動制御回路３２１ｂにおけるアンプ起動信号３４１をＯＮにするための回路が形成される。また、指令音声端子３２６の一端と指令音声端子３３５の一端とが接続され、指令音声端子３３５の他端と指令回線障害通知接点端子３２８ｂの一端とが接続され、指令回線障害通知接点端子３２８ｂの他端と指令音声端子３２６の他端とが接続される。指令回線障害通知接点端子３２８ｂが閉じられることにより、無線受令機３３において無線指令回線５３を介してい受信された指令音声信号を指令音声制御回路３２２ｂから指令音声信号３４２として放送制御装置３１へ出力することができる。さらに、外部確受端子３２７の一端と復旧通知接点端子３３６の一端とが接続され、復旧通知接点端子３３６の他端と指令回線障害通知接点端子３２８ｃの一端とが接続され、指令回線障害通知接点端子３２８ｃの他端と外部確受端子３２７の他端とが接続される。復旧通知接点端子３３６及び指令回線障害通知接点端子３２８ｃが閉じられることにより、復旧制御回路３２３ｂにおけるアンプ停止信号３４３をＯＮにするための回路が形成される。
【００６８】
また、指令回線障害検出回路３２４ｂは、有線指令回線５１の障害を検出した場合、回路３２８ｄを閉じることにより、指令回線障害通知接点端子３２８ａから３２８ｃを閉じる。これにより、指令回線障害検出回路３２４ｂによる障害の検出による処理が一元化される。
【００６９】
以上のように本実施の形態である緊急指令システムの各署所に設置される指令受信装置と無線受令機の間の復旧処理用接続回路に指令回線障害通知接点端子をループ回路に加えた構成をとることで、無線バックアップ指令による復旧処理を有線指令回線に障害のある署所にのみ実行することが可能である。
【００７０】
＜その他の発明の実施の形態＞
さらに、本発明は上述した実施の形態のみに限定されるものではなく、既に述べた本発明の要旨を逸脱しない範囲において種々の変更が可能であることは勿論である。
【符号の説明】
【００７１】
１００  受信信号処理システム
１１０  信号処理装置
１１１  障害検出部
１１２  接続制御部
１２０  無線受信装置
１３０  放送制御装置
１４０  有線回線
１５０  無線回線
１６０  第１の回路
２００  緊急指令システム
２０  本部
２１  指令装置
２１１  交換機
２２  無線装置
２２１  無線機
２２２  無線基地局
３０  指令受信処理システム
３０ａ  指令受信処理システム
３０ｂ  指令受信処理システム
３１  放送制御装置
３２  指令受信装置
３２ａ  指令受信装置
３２ｂ  指令受信装置
３３  無線受令機
４０  指令受信処理システム
４１  放送制御装置
４２  指令受信装置
４３  無線受令機
５１  有線指令回線
５２  有線指令回線
５３  無線指令回線
５４  無線指令回線
５５  障害
Ｔａ  周期
Ｔｂ  時間
Ｔｃ  時間
３２１  アンプ起動制御回路
３２１ｂ  アンプ起動制御回路
３２２  指令音声制御回路
３２２ｂ  指令音声制御回路
３２３  復旧制御回路
３２３ａ  復旧制御回路
３２３ｂ  復旧制御回路
３２４  指令回線障害検出回路
３２４ａ  指令回線障害検出回路
３２４ｂ  指令回線障害検出回路
３２５  起動端子
３２６  指令音声端子
３２７  外部確受端子
３２８  指令回線障害通知接点端子
３２８ａ  指令回線障害通知接点端子
３２８ｂ  指令回線障害通知接点端子
３２８ｃ  指令回線障害通知接点端子
３２８ｄ  回路
３３１  起動トーン信号検出回路
３３２  指令音声伝送回路
３３３  復旧トーン信号検出回路
３３４  起動通知接点端子
３３５  指令音声端子
３３６  復旧通知接点端子
３４１  アンプ起動信号
３４２  指令音声信号
３４３  アンプ停止信号
４２１  アンプ起動制御回路
４２２  指令音声制御回路
４２３  復旧制御回路
４２４  指令回線障害検出回路
４２５  起動端子
４２６  指令音声端子
４２７  外部確受端子
４２８  指令回線障害通知接点端子
４３１  起動トーン信号検出回路
４３２  指令音声伝送回路
４３３  復旧トーン信号検出回路
４３４  起動通知接点端子
４３５  指令音声端子
４３６  復旧通知接点端子
４４１  アンプ起動信号
４４２  指令音声信号
４４３  アンプ停止信号
Ｃ１  接続
Ｃ２  接続
Ｃ３  接続
Ｃ４  未接続
Ｃ５  接続
Ｃ６  接続
ＳＩＧ１  アンプ起動信号
ＳＩＧ２  アンプ停止信号
ＳＩＧ３  アンプ起動信号
【図１】
2014158111.tif 000003
【図２】
2014158111.tif 000004
【図３】
2014158111.tif 000005
【図４】
2014158111.tif 000006
【図５】
2014158111.tif 000007
【図６】
2014158111.tif 000008
【図７】
2014158111.tif 000009
【図８】
2014158111.tif 000010
【図９】
2014158111.tif 000011
【図１０】
2014158111.tif 000012
【図１１】
2014158111.tif 000013
【図１２】
2014158111.tif 000014
【図１３】
2014158111.tif 000015
【図１４】
2014158111.tif 000016
【図１５】
2014158111.tif 000017